(57)【特許請求の範囲】
【請求項１】
廃棄物焼却施設の解体や改修の際に、廃棄物焼却炉等の施設内から、洗浄用水とともに排出されるダイオキシン類を含有した焼却施設付着物の固形状体や、泥状液を集積し、攪拌しながら、その中に、アルカリ水溶液で活性化したラネーニッケル液、及び、水素を添加することにより、ダイオキシン類を還元して、無害化することを特徴とする、廃棄物焼却施設から排出された焼却施設付着物からのダイオキシン類の浄化方法。
【請求項２】
上記付着物の固形状体や泥状液を、廃棄物焼却施設の近傍に配備した移動可能な収納体に集積し、その場で無害化することを特徴とする、請求項１に記載の廃棄物焼却施設から排出された焼却施設付着物からのダイオキシン類の浄化方法。
【請求項３】
上記攪拌中の泥状液が、アルカリ性を呈しているときは、上記ラネーニッケル液と水素を添加することなく、そのまま上記泥状液の攪拌を続けることを特徴とする、請求項１乃至２に記載の廃棄物焼却施設から排出された焼却施設付着物からのダイオキシン類の浄化方法。
【請求項４】
上記攪拌中の泥状液が、アルカリ性を呈しているときは、上記ラネーニッケル液の添加は中止するが、水素は添加を継続しながら、上記泥状液の攪拌を続けることを特徴とする、請求項１乃至２に記載の廃棄物焼却施設から排出された焼却施設付着物からのダイオキシン類の浄化方法。
【請求項５】
上記ラネーニッケル及び水素の泥状体への添加は、この泥状体を攪拌しながら二重管構造のパイプの内側、及び、外側から別々に挿入することにより行うことを特徴とする、請求項１乃至４のいずれかに記載の廃棄物焼却施設から排出された焼却施設付着物からのダイオキシン類の浄化方法。
【請求項６】
上記ラネーニッケルとしては、粉状態のものを使用することを特徴とする、請求項１乃至５のいずれかに記載の廃棄物焼却施設から排出された焼却施設付着物からのダイオキシン類の浄化方法。
【発明の詳細な説明】
【０００１】
【発明の属する技術分野】
この発明は、一般家庭ゴミや、産業ゴミの廃棄物焼却施設の解体や、改修の際に排出する廃棄物焼却炉等の施設から排出された焼却施設付着物からのダイオキシン類の浄化に関するものである。
【０００２】
【従来の技術】
一般家庭ゴミや、産業ゴミの廃棄物焼却施設は、長年使用すると、廃棄物焼却炉内及び付属施設内には、燃焼残渣が付着し、この付着物には、ダイオキシン類が含有されている場合が多い。老朽化した廃棄物焼却施設の解体乃至改修の際には、ダイオキシン類が外部に排出されないように留意しながら、この付着物をはつって除去した後、高圧水をかけて廃棄物焼却炉の細部まで除去しているが、水を使用しているため、除去された付着物は、泥状状態となっている。
この泥状物は、ダイオキシン類を含有しているので、解体や、改修現場で処理することができないうえ、ダイオキシン類の有効な処理方法も確立されていないため、ドラム缶等に収納して保管したり、埋設処理されたりしているが、処理業者は、処理に困惑しているのが現状である。
【０００３】
【発明が解決しようとする課題】
上記のように、排出した付着物の処理に困惑しているうえに、ダイオキシン類の環境基準は、近年厳しくなってきており、平成１２年１月に改正されたダイオキシン類対策特別措置法では、廃棄物焼却炉の排出基準を、平成１４年１２月１日から変更し、これまで、８０ｎｇ−ＴＥＱ／ｍＮであった値を、４トン／時以上の焼却能力を有する施設では１ｎｇ−ＴＥＱ／ｍＮ、２〜４トン／時の焼却能力を有する施設では、５ｎｇ−ＴＥＱ／ｍＮに規制することに決まっている。
このため、これまで使用してきた廃棄物焼却施設でも、環境基準を厳守できなくなる施設も多く、新たな環境基準を満足させるためには、新規な技術を装備した新規廃棄物焼却施設を建設するか、効率の良い装置を装備するために改修工事を行う等の必要にせまられている。
【０００４】
しかし、新規に廃棄物焼却施設を建設する場合、新たな場所に建設しようとしても、新たな場所の住民の賛成を得ることは困難と予想されるため、同じ場所において廃棄物焼却施設を解体し、新設することになる。また、改修工事をする場合でも、廃棄物焼却炉等の内側の付着物について、除去してから工事する必要がある。
このため、解体する際には、外部へダイオキシン類が逸散しないように、廃棄物焼却炉等付着物を除去してから解体せざるを得ず、改修工事をする場合でも、この付着物を除去してからでないと、次の工程に進めない。
特に、今後、除去し、回収した付着物の量が大量になるおそれがあるため、これをいかに処理して無害化するかが当業界の課題であった。
【０００５】
【課題を解決するための手段】
この発明は、廃棄物焼却施設の解体や改修の際に、洗浄用の水とともに排出される泥状のダイオキシン類を、化学的に処理するものであり、特に、付着物の泥状体を攪拌しながら、その中に、アルカリ溶液で活性化したラネーニッケル液、及び、水素を添加して、ダイオキシン類を還元して、無害化するものである。
上記ラネーニッケル液及び水素の泥状体への供給は、泥状体を攪拌しながら二重管構造のパイプの内側、外側から別々に挿入することにより行う。
また、ラネーニッケル液と水素を添加して攪拌した泥状体がアルカリ性を呈しているときは、当該ラネーニッケル液、及び、水素を添加することなく、そのまま泥状体の攪拌を続けることにより、当該ラネーニッケル液、及び、水素を供給しなくても、ダイオキシン類を還元できる。
またこのとき、ラネーニッケル液の添加は中止するが、水素については、そのまま継続して添加しながら、泥状体の攪拌を続けることもできる。
また、使用するラネーニッケルとしては、小麦粉に類似した粉状態のものを使用するため、簡単に混合、乃至、分散することができる。
【０００６】
【実施の形態】
廃棄物焼却炉等の施設内には、ダイオキシン類の有害物質を含んだ付着物が張り付いているので、解体や改修の際は、まず、この付着物が除去作業の際、廃棄物焼却施設の外に飛散しないように覆いを設けたり、廃棄物焼却施設自体を負圧状態にしたりしてから、内部の付着物を除去することが行われている。
付着物の除去作業では、通常、はつり用器具や装置で廃棄物焼却施設内部の付着物を落とした後、高圧水をかけて細部を除去している。このため、付着物は、水と混合した泥状態のものと、固形状態との混合状態となっている。このような状態のものを廃棄物焼却施設の解体乃至補修現場では、ドラム缶等に収納し、これを外部へ搬出している。
【０００７】
図１及び図２は、ドラム缶１に収納した付着物の泥状態を、この発明の方法で処理するところを示したものである。図１のように、ドラム缶１内の泥状態物を、外周に羽根の付いた攪拌体２で攪拌しながら、アルカリ水溶液で活性化したラネーニッケル液及び水素を添加する。この水素、活性化ラネーニッケル液の供給は二重管構造の供給管３の内側管及び外側管に夫々を通して行う。これらの攪拌体２と、水素、活性化ラネーニッケル液を供給する二重管構造の供給管３とは別体にしてもよいし、図２のように、一体化したものでもよい。図１のような攪拌体２は、土木工事現場用として市販されているものを購入することができるし、二重管式挿入供給管３も、同心円状のものであればよい。これらは、簡単に組み立てることができるので、解体現場の片隅でも処理できる。
【０００８】
図３は、プラスチック等により、水分が漏洩しないような処理をしたコンクリート枠体４の中で、泥状態を処理する場合の模式図を表したものである。このコンクリート枠体４内の泥状態に、深層混合装置５を用いて、水素、及び活性化ラネーニッケル液の供給をする。図３では、地面の中にコンクリート枠体４を設置しているが、これに限定することはない。地上で行う場合は、水分の漏洩しない鋼鉄製の箱状体にすればよい。処理後の泥状態物は、バキューム装置やショベルカー等で搬出する。
また、処理後の泥状態物は水分が多いため、ろ過することにより、固体と液体に分離することもできる。その際、ラネーニッケルを通過させない程度のフィルタを使用すれば、ラネーニッケルを外部へ放出せずに、水分だけを排出できる。
【０００９】
図４は、図３に示した状態で泥状態物を処理する装置の一例を示したものである。この装置は、深層混合装置と言われている装置で、土木の地盤改良工事等に使用されているものである。この深層混合装置５を使用する場合は、回転ロッド６を回転させながら、その先端吐出口７からは、ラネーニッケル液を、また、側面噴射口８からは水素を噴出させながら泥状態物を処理することになる。
【００１０】
図５は、図３におけるようなコンクリート枠体の中で泥状態物を処理する場合ではなく、水分が漏洩しないような構造にした汚泥運搬車等の荷台上に設けたタンク９で泥状態物を処理する場合を模式的に表したものである。水素、及び、活性化ラネーニッケル液の容器１０は、運転席と荷台の間に設置すればよい、図５には、攪拌装置が記載されていないが、図１〜至２で使用した装置を利用すればよい。
図６は、コンクリートミキサー車１１を泥状態物の処理装置としてもよいことを示したものである。コンクリートミキサーは、中に挿入した泥状態物を回転させることができるので、攪拌装置を取り付ける必要がなく、ラネーニッケル液と水素を供給するパイプ状体１２を設置するだけでよい。
【００１１】
また、図５及び図６のように車体上で処理する方法は、解体乃至補修現場の片隅で実施できるし、図１〜２に示したドラム缶もトラック等の車体上で処理できる。この場合、工事現場で生じる一般の泥状物と同様に扱うことができるので、泥状物の処分場捜しに翻弄されることはない。
【００１２】
また、上記では、泥状態物を攪拌しながら、アルカリ水溶液で活性化したラネーニッケル液と水素を添加することを述べたが、攪拌途中で泥状物をサンプリングして、泥状態物がアルカリ性を呈しているときは、ラネーニッケル液及び、水素を添加することなく、そのまま泥状体の攪拌を続けることにより、当該ラネーニッケル液及び、水素を供給しなくても、ダイオキシン類を還元できる。
また、このとき、ラネーニッケル液の添加は中止するが、水素については、そのまま継続して添加しながら、泥状体の攪拌を続けることもできる。
これは、液体が泥状態であること、また、泥状態の圧力によって、かなりの水素が泥状態内に閉じ込められ、ラネーニッケルによる浄化作用が継続しているためではないかと思われるし、水素だけを添加しても浄化作用が継続されるのは、泥状態液がアルカリ性を呈している間は、ラネーニッケルの活性化が存続していて、水素の添加により浄化作用が継続しているのではないかと思われる。
【００１３】
この発明で使用するラネーニッケルは、化学の分野では、化学物質を水素により還元する際に、触媒として慣用されているニッケル金属のことである。触媒と言われている通り、化学反応にはなんら関与しない物質であるが、一度、希薄のアルカリ液と接触させた後、乃至は、アルカリ液と混合した状態で水素とともに還元作用をさせると、水素の還元作用が良好なので、化学の分野では、アルカリ液で処理したラネーニッケルを、活性化されたラネーニッケルという表現をしている。
この発明で使用するラネーニッケルは、上記のように、触媒として使用されるに過ぎないので、使用後泥状物の中にニッケルのまま残留することになるが、ニッケルは安定な金属であるため、土中のなかでもそのままの状態が維持されることになる。
【００１４】
【発明の効果】
この発明により、一般家庭ゴミや、産業ゴミの廃棄物焼却施設の解体、改修等の際に発生するダイオキシン類を含んだ焼却炉付着物を容易に浄化できるので、環境基準が厳しくなっても、廃棄物焼却施設の解体、改修等になんら困難を伴うことなく、焼却炉付着物に含まれたダイオキシン類を、簡単に処理することができる。
【図面の簡単な説明】
【図１】この発明の実施の形態例において、ドラム缶に収納した付着物の泥状態を、この発明の方法で処理するところを示したもので、攪拌体と二重構造の供給管とを別体に設けた斜視図である。
【図２】この発明の実施の形態例において、ドラム缶に収納した付着物の泥状態を、この発明の方法で処理するところを示したものであって、攪拌体と二重構造の供給管とを一体に設けた斜視図である。
【図３】この発明の実施の形態例において、コンクリート枠体の中で、泥状態をこの発明の方法で処理するところを示した模式図である。
【図４】この発明の実施の形態例において、泥状態物を処理する深層混合装置を示す側面図である。
【図５】この発明の実施の形態例において、車の荷台上に設けたタンク内で泥状態をこの発明の方法で処理するところを示した模式図である。
【図６】この発明の実施の形態例において、コンクリートミキサー車のミキサーの中で、泥状態をこの発明の方法で処理するところを示した模式図である。
【符号の説明】
１    ドラム缶                      ２    攪拌体
３    二重管構造の供給管            ４    コンクリート枠体
５    深層混合装置                  ６    回転ロッド
７    先端吐出口                    ８    側面噴射口
９    タンク                      １０    容器
１１    コンクリートミキサー車      １２    パイプ状体
【図１】
0003595321.tif 000002
【図２】
0003595321.tif 000003
【図３】
0003595321.tif 000004
【図４】
0003595321.tif 000005
【図５】
0003595321.tif 000006
【図６】
0003595321.tif 000007